(57)【特許請求の範囲】
【請求項１】
前面側に複数の電気機器を取り付け可能であり、かつ背面側を所望の壁部に対向させるようにして前記壁部に取り付けられるベース部材本体部と、
このベース部材本体部をステーパイプに連結するためのステーパイプ用連結部と、
を備えている、電気機器取付け用ベース部材であって、
前記ベース部材本体部には、前記複数の電気機器の配線を前記ベース部材本体部の背面側に通すための複数の配線用孔が設けられており、
前記ステーパイプ用連結部は、前記ベース部材本体部の背面側のうち、前記複数の配線用孔どうしの間に位置し、かつ前記ベース部材本体部からその背後に向けて突出した複数の突起部を有しており、
これら複数の突起部には、前記ステーパイプを前記複数の突起部の途中部分まで螺合させて連結させるためのネジ部が設けられていることにより、前記ステーパイプの先端部と前記ベース部材本体部の背面部との間には、隙間が形成され、かつ前記複数の突起部どうしの間の部分は、前記隙間の周囲に位置して前記隙間に連通する複数の開口部とされており、
前記複数の電気機器の配線のうち、前記複数の配線用孔に通されて前記ベース部材本体部の背面側に配された部分は、前記複数の開口部から前記隙間に進入して前記ステーパイプの内部に通すことが可能な構成とされていることを特徴とする、電気機器取付け用ベース部材。
【請求項２】
前記ベース部材本体部の背面側のうち、前記配線用孔と前記ステーパイプ用連結部との間には、前記ベース部材本体部の背後に向けて突出するリブが設けられ、
このリブには、前記配線の一部分を係止させるための切欠き凹部が設けられている、請求項１に記載の電気機器取付け用ベース部材。
【請求項３】
所望の壁部に取り付けられるベース部材と、
このベース部材の前面側に取り付けられる複数の電気機器と、
を備えている、電気機器取付け構造であって、
前記ベース部材として、請求項１または２に記載の電気機器取付け用ベース部材が用いられていることを特徴とする、電気機器取付け構造。
【発明の詳細な説明】
【技術分野】
【０００１】
本発明は、浴室や台所などの所望の壁部に給湯機のリモコンや薄型テレビなどの電気機器を取付けるのに用いられる電気機器取付け用ベース部材、およびこれを備えた電気機器取付け構造に関する。
【背景技術】
【０００２】
たとえば、浴室の壁部に給湯機のリモコンなどの電気機器を取り付けるための手法として、ステーパイプを用いる手法がよく用いられている（たとえば、特許文献１を参照）。ここで、ステーパイプとは、壁部への取付け対象となる電気機器に直接または間接的に連結されて電気機器を直接または間接的に支持することが可能なパイプであって、電気機器の配線を内部に通すことが可能なものである。このステーパイプを用いる手法においては、ステーパイプを電気機器に連結した上で、浴室の壁部に設けられた開口部に挿入して固定させることにより、電気機器の固定支持を図るとともに、前記電気機器の配線をステーパイプによって保護しつつ浴室の外部まで引き出すことができる。
【０００３】
しかしながら、従来においては、次に述べるように、改善すべき余地があった。
【０００４】
すなわち、図６に模式的に示すように、従来においては、電気機器９の取付け用ベース部材としてのケース９０に、ステーパイプ８を連結する場合が多く、この連結に際しては、ステーパイプ８をケース９０の背面板９０ａに貫通させるなどして、ステーパイプ８の先端開口部８ａをケース９０内に配置させている。一方、ケース９０の前部側に電気機器９を取り付ける場合、この電気機器９をステーパイプ８の正面に配置することができず、ステーパイプ８に対して上下または左右に偏らせる場合がある。たとえば、同図に示すように、電気機器９が２つあるような場合には、これら２つの電気機器９の双方をステーパイプ８の正面に配置することはできない。
【０００５】
ところが、前記のように電気機器９をステーパイプ８に対して偏った配置にする場合には、電気機器９をステーパイプ８の先端開口部８ａよりも適当な寸法Ｌ１以上、前方側に配置させる必要がある。その理由は、電気機器９の背面部に接続されている配線９１をステーパイプ８の先端開口部８ａ内に導くためのスペースを確保する必要があり、前記した寸法Ｌ１を小さくして、小スペース化を図ったのでは、この部分に配線９１を手際よく配置させることが難しく、作業性が悪化するからである。このようなことから、従来においては、ケース９０の容積を大きくする必要があり、全体のサイズが大きくなりがちとなる。したがって、電気機器９の取付け構造の全体の小サイズ化を促進しつつ、配線９１の取り回しを容易にする観点からすると、未だ改善の余地がある。とくに、同図に示したように、２つの電気機器９（たとえば、給湯機のリモコンと薄型テレビなど）を一纏めにして取り付ける場合には、それらの配線の総数が多くなって嵩張るために、全体の大型化が一層顕著になるとともに、それらの電気配線の取り回しも一層面倒なものとなる。
【先行技術文献】
【特許文献】
【０００６】
【特許文献１】特開２００４−５３２２１号公報
【発明の概要】
【発明が解決しようとする課題】
【０００７】
本発明は、前記したような事情のもとで考え出されたものであって、給湯機のリモコンやその他の所望の電気機器の取り付け構造全体の小サイズ化ならびに施工作業性の向上を
図ることが可能な電気機器取付け用ベース部材、およびこれを備えた電気機器取付け構造を提供することを、その課題としている。
【課題を解決するための手段】
【０００８】
上記の課題を解決するため、本発明では、次の技術的手段を講じている。
【０００９】
本発明の第１の側面により提供される電気機器取付け用ベース部材は、前面側に複数の電気機器を取り付け可能であり、かつ背面側を所望の壁部に対向させるようにして前記壁部に取り付けられるベース部材本体部と、このベース部材本体部をステーパイプに連結するためのステーパイプ用連結部と、を備えている、電気機器取付け用ベース部材であって、前記ベース部材本体部には、前記複数の電気機器の配線を前記ベース部材本体部の背面側に通すための複数の配線用孔が設けられており、前記ステーパイプ用連結部は、前記ベース部材本体部の背面側のうち、前記複数の配線用孔どうしの間に位置し、かつ前記ベース部材本体部からその背後に向けて突出した複数の突起部を有しており、これら複数の突起部には、前記ステーパイプを前記複数の突起部の途中部分まで螺合させて連結させるためのネジ部が設けられていることにより、前記ステーパイプの先端部と前記ベース部材本体部の背面部との間には、隙間が形成され、かつ前記複数の突起部どうしの間の部分は、前記隙間の周囲に位置して前記隙間に連通する複数の開口部とされており、前記複数の電気機器の配線のうち、前記複数の配線用孔に通されて前記ベース部材本体部の背面側に配された部分は、前記複数の開口部から前記隙間に進入して前記ステーパイプの内部に通すことが可能な構成とされていることを特徴としている。
【００１０】
このような構成によれば、ベース部材本体部の前面側に取り付けられる複数の電気機器の配線については、ベース部材本体部の複数の配線用孔を通過させてから前記複数の開口部を介して前記隙間に導くことによって、ステーパイプ内に適切に通すことができる。ベース部材本体部の前面側に複数の電気機器を取り付ける場合には、複数の電気機器の配線がそのまま配線用孔を通過してベース部材本体部の背面側に位置するように、複数の電気機器をベース部材本体部に直付けすればよく、複数の電気機器とベース部材本体部との間に、配線を取り回すためのスペースを確保する必要はない。一方、ステーパイプ用連結部は、ベース部材本体部の背面側に設けられているものの、このステーパイプ用連結部自体はさほど大きく形成する必要はない。したがって、図６を参照して説明した従来技術と比較して、複数の電気機器の取付け構造全体の小サイズ化を図ることが可能である。また、本発明によれば、複数の電気機器の配線をステーパイプ内に導く作業は、全てベース部材本体部の背面側において集約して行なうことが可能であり、前記従来技術のように、ケース状の部材内において複数本の配線をステーパイプ内に通されていた場合と比較すると、配線の取り回しも容易化され、取付け施工の作業性も良好となる。
さらに、前記構成によれば、ステーパイプ用連結部が、ネジ部を設けた複数の突起部を用いた簡易な構成により実現され、構造の複雑化や製造コストの大幅な上昇などを抑制するのに好ましいものとなる。
さらに、ベース部材を利用して複数の電気機器を容易に取り付けることが可能となる。
【００１５】
本発明において、好ましくは、前記ベース部材本体部の背面側のうち、前記配線用孔と前記ステーパイプ用連結部との間には、前記ベース部材本体部の背後に向けて突出するリブが設けられ、このリブには、前記配線の一部分を係止させるための切欠き凹部が設けられている。
【００１６】
このような構成によれば、配線用孔を通過してベース部材本体部の背面側に配された配線の一部分を、前記切欠き凹部に係止させて位置決めし、配線を取り回す際に、この配線が不用意に位置ずれしないようにすることができる。また、前記切欠き凹部が設けられているリブは、ベース部材本体部を補強する役割も発揮する。
【００１７】
本発明の第２の側面により提供される電気機器取付け構造は、所望の壁部に取り付けられるベース部材と、このベース部材の前面側に取り付けられる複数の電気機器と、を備えている、電気機器取付け構造であって、前記ベース部材として、本発明の第１の側面により提供される電気機器取付け用ベース部材が用いられていることを特徴としている。
【００１８】
このような構成によれば、本発明の第１の側面により提供される電気機器取付け用ベース部材について述べたのと同様な効果が得られる。
【００１９】
本発明のその他の特徴および利点は、添付図面を参照して以下に行なう発明の実施の形態の説明から、より明らかになるであろう。
【図面の簡単な説明】
【００２０】
【図１】本発明に係る電気機器の取付け構造の一例を示す斜視図である。
【図２】図１のII−II断面図である。
【図３】図１に示す電気機器の取付け構造の分解斜視図である。
【図４】図１に示す電気機器の取付け構造の要部分解断面図である。
【図５】図１に示す電気機器の取付け構造に用いられているベース部材の背面斜視図である。
【図６】従来技術の一例を模式的に示す断面図である。
【発明を実施するための形態】
【００２１】
以下、本発明の好ましい実施の形態について、図面を参照して具体的に説明する。
【００２２】
図１〜図５は、本発明が適用された電気機器取付け構造の一実施形態を示している。図１によく表われているように、本実施形態の電気機器取付け構造Ｓは、浴室の起立した壁部７に、ベース部材Ｂを利用してテレビユニット６Ａおよび給湯機(図示略)のリモコン６Ｂを取付けた構造である。
【００２３】
図２〜図４によく表われているように、テレビユニット６Ａは、テレビ本体部６０Ａとこのテレビ本体部６０Ａにその前面側から装着されるカバー体６１Ａとを備えている。同様に、リモコン６Ｂは、リモコン本体部６０Ｂとこのリモコン本体部６０Ｂにその前面側から装着されるカバー体６１Ｂとを備えている。これらテレビユニット６Ａやリモコン６Ｂとしては、既知のものを適宜使用することができるため、その説明は省略する。
【００２４】
ベース部材Ｂは、本発明が適用された電気機器取付け用ベース部材の一例に相当し、全体が比較的硬質の合成樹脂製の正面視略矩形状のベース部材本体部１と、その背面側に設けられたステーパイプ用連結部２とを有している。図３によく表われているように、ベース部材本体部１は、前面側が平面状の板状部１０を有しており、この板状部１０には、２つの配線用孔１１が上下に間隔を隔てて設けられている。これらの配線用孔１１は、テレビユニット６Ａおよびリモコン６Ｂの配線６２Ａ，６２Ｂをベース部材本体部１の背面側に通すためのものである。
【００２５】
ベース部材本体部１の周縁部には、複数のネジ孔１２が設けられている。このネジ孔１２に螺合するネジ体９９を利用して、テレビ本体部６０Ａおよびリモコン本体部６０Ｂをベース部材本体部１の前面側に固定させることが可能である。カバー体６１Ａ，６１Ｂは、テレビ本体部６０Ａおよびリモコン本体部６０Ｂをベース部材Ｂに取り付けた後に、それらに装着される。図２および図４に示すように、テレビ本体部６０Ａおよびリモコン本体部６０Ｂの背面部には、配線６２Ａ，６２Ｂの基部を囲む背面視ループ状の弾性部材からなるシール部材６３が貼着されている。このシール部材６３がベース部材Ｂの板状部１０に当接することにより、この部分の止水シールが図られる。その結果、仮に、テレビ本体部６０Ａとベース部材本体部１との間、あるいはリモコン本体部６０Ｂとベース部材本体部１との間に水が進入しても、この水が配線６２Ａ，６２Ｂの基部に向けて進行することは適切に防止される。
【００２６】
ステーパイプ用連結部２は、ベース部材本体部１の背面部に一対の突起部２０を一体成形することにより構成されている。図５によく表われているように、これら一対の突起部２０どうしは、スリット状の一対の隙間２１を介して互いに離間して対向しており、円筒状の突起を左右に２分割したのと同様な構成となっている。これら一対の突起部２０の内周面には、ステーパイプ５の先端部外周のネジ部５０を螺合させるためのネジ部２２が設けられている。ただし、このネジ部２２は、各突起部２０の先端側から途中高さの範囲に限って設けられており、各突起部２０の基部近傍には設けられていない。このことにより、図２に示すように、ネジ部２２にステーパイプ５のネジ部５０を螺合させたときには、ステーパイプ５の先端部が各突起部２０の基端まで進行することはなく、ステーパイプ５の先端部とベース部材本体部１の背面部との間には、隙間３０が形成される。この隙間３０は、ステーパイプ５の先端開口部を閉塞させることなく、この先端開口部に対して配線６２Ａ，６２Ｂを進入可能とする部分である。なお、隙間３０を形成するための手段としては、ネジ部２２を途中高さまで設けることに代えて、たとえばステーパイプ５の先端部が各突起部２０の途中高さまで進行したときにこのステーパイプ５に当接するストッパ（図示略）をベース部材本体部１に設ける手段を採用することもできる。
【００２７】
図２に示したように、ステーパイプ用連結部２にステーパイプ５が連結されたときには、隙間３０を外部空間と連通させる２つの開口部２１ａが形成される。これらの開口部２１ａは、図５に示した２つのスリット状の隙間２１の一部分（隙間２１のうち、ステーパイプ５によって閉塞されていない部分）である。配線６２Ａ，６２Ｂは、２つの配線用孔１１を通過してベース部材本体部１の背面側に配されているが、これらの配線６２Ａ，６２Ｂは、開口部２１ａを通過して隙間３０内に進入してからステーパイプ５内に通された状態に設定される。なお、この電気機器取付け構造Ｓの組み立て手順においては、ステーパイプ５をステーパイプ用連結部２に連結した後に、ステーパイプ５内に配線６２Ａ，６２Ｂを通す必要はない。ステーパイプ５内に配線６２Ａ，６２Ｂを先に通した後に、ステーパイプ５をステーパイプ用連結部２に連結すればよいことは勿論である。ステーパイプ５は、浴室の壁部７に設けられた孔部７０内に挿入して固定される。配線６２Ａ，６２Ｂは、ステーパイプ５内を通過して浴室の外部に引き出される。
【００２８】
図５によく表われているように、ベース部材本体部１の背面側には、矩形ループ状のシ
ール部材８０が貼着された枠状凸部１３、補強用のリブ１４，１５、リブ１５に設けられた複数の切欠き凹部１６、および補強用のリブを兼ねた庇部４が設けられている。
【００２９】
枠状凸部１３は、図２および図４によく表われているように、板状部１０の外周縁部から背後に向けて突出している。ベース部材Ｂが壁部７に取り付けられる際には、この枠状凸部１３と壁部７との間にシール部材８０が挟まれ、止水シールが図られる。このことにより、壁部７とベース部材Ｂとの間に水が進入することが抑制される。枠状凸部１３およびシール部材８０には、ベース部材Ｂを壁部７に対してネジ止め可能とするためのネジ体挿通用孔１９が設けられている。このようなネジ止め手段が設けられていれば、ステーパイプ５のみを利用してベース部材Ｂを固定させる場合よりもベース部材Ｂの取り付け強度を高くすることができる他、ステーパイプ５を用いない取り付けも可能となり、融通性に優れる。
【００３０】
補強用のリブ１４は、一対の突起部２０どうしの間に位置しており、一対の突起部２０が対向する方向に延びた形態を有している。ステーパイプ用連結部２およびその周辺部は、ステーパイプ５から比較的大きな力を受ける可能性があるが、リブ１４の存在によりそれらの部分の補強が効率良く図られる。
【００３１】
リブ１５としては、上下方向に延びた複数の縦リブと、左右略水平方向に延びた複数の横リブとがあり、これらは交差して繋がっている。このような構成によれば、ベース部材本体部１の広い面積を効率良く補強することができる。複数のリブ１５には、配線用孔１１とステーパイプ用連結部２との間に位置する２つのリブ１５ａが含まれており、これらに切欠き凹部１６が設けられている。切欠き凹部１６は、図２に示すように、配線６２Ａ，６２Ｂの一部分を進入させて係止させるための部分である。このことにより、この取付け構造Ｓの組み立て時において、配線６２Ａ，６２Ｂの位置決めを図ることができる。
【００３２】
庇部４は、ベース部材本体部１の上部と壁部７との間に、仮に水が進入しても、これに対して適切に対処するための部分である。この庇部４は、２つの配線用孔１１およびステーパイプ用連結部２の上方に位置するようにベース部材本体部１の上部寄りに位置しており、補強用のリブ１４，１５と同様に、ベース部材本体部１の背後に向けて突出したリブ状である。この庇部４の高さＨ１は、図２に示すように、好ましくは、庇部４の先端が壁部７に接触し、または接近する高さとされており、ベース部材本体部１の上部と壁部７との間に水が進入したときには、この水を上面４０により受けることが可能とされている。庇部４の高さＨ１は、庇部４と壁部７との隙間が小さくなるように高いほど好ましいものの、その具体的な値は問わない。ただし、庇部４の高さＨ１は、少なくとも隙間３０の高さＨ２よりも高いことが望まれる。Ｈ１＞Ｈ２であれば、配線６２Ａ，６２Ｂのうち、ステーパイプ５内に挿入されていない部分の上方を庇部４によって適切に覆い、前記部分に水が直接流れ落ちることを適切に防止し得るからである。
【００３３】
図５に示すように、庇部４は、左右幅方向の略中央部４ａが最も高く、かつ幅方向両端部４ｂに進むにしたがって徐々に高さが低くなるように略へ字状に傾斜した形態を有している。このことにより、庇部４の上面４０によって受けられた水は、矢印Ｎ１で示すように、両端部４ｂの双方または一方に向けて流れていく。庇部４の両端部４ｂは、補強用の複数のリブ１５よりもベース部材Ｂの左右幅方向外方側に位置しており、両端部４ｂに到達した水は、矢印Ｎ２で示すように、最外列の縦リブ１５ｂの外側方を通過し、ベース部材本体部１の下部寄りに位置する受け部１７上に落下する。
【００３４】
受け部１７は、枠状凸部１３の一部分により構成され、板状部１０の下縁部に交差して繋がっている。板状部１０の下縁部の幅方向両端部には、一対の排水用の孔部１８が設けられている。好ましくは、受け部１７は、庇部４と同様に、左右幅方向略中央部から両端
部に進むに連れて高さが徐々に低くなるように傾斜しており、この受け部１７によって受けられた水が排水用の孔部１８に円滑に流れ込むように構成されている。受け部１７によって受けられた水は、図２の矢印Ｎ３に示すように、排水用の孔部１８を通過してベース部材本体部１の前面側に流れ、その後ベース部材本体部１の下方に流れ落ちるようになっている。好ましくは、受け部１７の上面は、前下がり状に傾斜しており、このことにより孔部１８への水の流れ込みがより円滑化されている。図２に示すように、リモコン６Ｂは、孔部１８を閉塞しないように設けられつつ、孔部１８の正面をカバーする配置とされる。このように孔部１８の正面がリモコン６Ｂによってカバーされていれば、孔部１８内にその正面から水が進入する虞を無くし、または少なくすることができる。
【００３５】
次に、前記した電気機器取付け構造Ｓの作用について説明する。
【００３６】
まず、テレビユニット６Ａおよび給湯機のリモコン６Ｂの配線６２Ａ，６２Ｂについては、２つの配線用孔１１からベース部材Ｂの背面側に通し、かつ開口部２１ａから隙間３０内に進入させて、ステーパイプ５内に適切に通した状態に設定することができる。テレビユニット６Ａおよびリモコン６Ｂは、配線６２Ａ，６２Ｂの基部が配線用孔１１に対面するようにベース部材Ｂの前面部に当接または接近させて取り付ければよい。配線用孔１１の位置を変更することにより、テレビユニット６Ａとリモコン６Ｂとの配置を自在に変更することが可能である。加えて、テレビユニット６Ａやリモコン６Ｂとベース部材Ｂとの間には、従来技術とは異なり、配線６２Ａ，６２Ｂをステーパイプ５内に導くためのスペースを設ける必要はない。したがって、ベース部材Ｂよりも前面側にテレビユニット６Ａやリモコン６Ｂが大きく嵩張った状態に設けられることを適切に回避することができる。
【００３７】
一方、ベース部材Ｂの背面側には、ステーパイプ用連結部２が設けられているものの、このステーパイプ用連結部２自体は、一対の突起部２０を用いて構成されたものであって、その高さも補強リブ１５などの高さと同等またはそれ以下の高さの小サイズとすることができる。したがって、ベース部材Ｂの背面側の構造はやや複雑化するものの、ベース部材Ｂの前面側に配線６２Ａ，６２Ｂを配置させるためのスペースを設ける必要がないことに基づき、電気機器取付け構造Ｓの全体の小サイズ化を図ることが可能である。
【００３８】
配線６２Ａ，６２Ｂを、ステーパイプ５内に通す作業は、ベース部材Ｂの背面側において集約して行なうことが可能である。したがって、その作業も容易となる。とくに、本実施形態においては、切欠き凹部１６に配線６２Ａ，６２Ｂを係止させることによって、配線６２Ａ，６２Ｂの取り回し時において配線６２Ａ，６２Ｂが不用意に動かないようにすることができるために、前記作業がより容易化される。切欠き凹部１６は、ベース部材Ｂの補強用のリブ１５ａを利用して設けられているために合理的である。また、ベース部材Ｂには、リブ１４や補強機能を発揮する庇部４も設けられているために、ベース部材Ｂの各部の薄肉化を図りつつ、十分な強度を確保することも可能である。
【００３９】
本実施形態においては、シール部材６３，８０を用いた止水シールによって所定部分への水の進入が阻止され、電気系統の保護が適切に図られる。また、シール部材８０が劣化したり、あるいは壁部７の表面がタイル貼りであって、タイルの目地部分が深い凹状となっているような場合には、ベース部材Ｂの上部と壁部７との間に水が進入することがあり得るが、次に述べるように、そのようなことにも適切に対処することができる。すなわち、図５および図２の矢印Ｎ１〜Ｎ３で示したように、前記した水は、庇部４によって受けられてからその端部４ｂに向けてガイドされて端部４ｂから下方に流れ落ち、その後は受け部１７によって受けられてから排水用の孔部１８を通過してベース部材Ｂの下方に排出される。したがって、配線６２Ａ，６２Ｂが水に濡れるようなことは、一層徹底して防止される。また、ベース部材Ｂの下部に多くの水が溜まることも適切に回避される。さらに
、ベース部材Ｂの前面側から水を落下排出させれば、壁部７の表面に沿わせて水を排出させる場合とは異なり、壁部７の表面に水汚れを発生し難くする効果も期待できる。
【００４０】
本発明は、上述した実施形態の内容に限定されない。本発明に係る電気機器取付け用ベース部材、および電気機器取付け構造の各部の具体的な構成は、種々に設計変更自在である。
【００４１】
本発明の電気機器取付け用ベース部材は、複数の電気機器を一纏めにして壁部に取り付けるのに適するが、これに限定されず、たとえば１つの電気機器を壁部に取り付ける場合にも適用することが可能である。１つの電気機器を壁部に取り付ける場合であっても、その施工条件如何では、電気機器の配線の基部をステーパイプの正面に配置させることができず、配線の基部とステーパイプとを上下または左右に位置ずれさせる場合があり、このような場合にも本発明は有意義である。
【００４２】
ステーパイプ用連結部とステーパイプとの連結構造としては、ネジ部を用いた螺合手段に代えて、ネジ部を用いない係合手段を用いることもできる。その一例としては、ステーパイプをステーパイプ用連結部として形成された凹部に挿入して適当な角度だけ回転させることによって、両者が係合して連結する方式が挙げられる。
【００４３】
電気機器としては、テレビユニットや給湯機のリモコン以外の種々のものを適用することができる。また、電気機器の取付け対象となる壁部も、浴室の壁部に限らず、台所やその他の種々の部屋または場所の壁部とすることができることは言う迄もない。
【符号の説明】
【００４４】
Ｓ    電気機器取付け構造
Ｂ    ベース部材（電気機器取付け用ベース部材）
１    ベース部材本体部
２    ステーパイプ用連結部
５    ステーパイプ
６Ａ  テレビユニット（電気機器）
６Ｂ  給湯機のリモコン（電気機器）
７    壁部
１１  配線用孔
１５ａ    リブ
１６      切欠き凹部
２０  突起部
２１ａ    開口部
２２      ネジ部
３０      隙間
６２Ａ，６２Ｂ    配線（電気機器の）
【図１】
0005578347.tif 000002
【図２】
0005578347.tif 000003
【図３】
0005578347.tif 000004
【図４】
0005578347.tif 000005
【図５】
0005578347.tif 000006
【図６】
0005578347.tif 000007